(57)【特許請求の範囲】
【請求項１】
シャープペンシルの芯を収容するケースと、前記ケースの平面に貼合された、針状体を捕捉可能とする係合素子を基布に植設して成る係合素子植設シートとを有し、前記係合素子が前記基布に立設する縦部分とその縦部分の先で湾曲した湾曲部分とで全体として逆J字状の形状を有し、複数の前記逆Ｊ字状の係合素子が一列に配列されてなり、配列された逆Ｊ字状の係合素子が、前記湾曲部分が針状体の周面に沿うようにしてシャープペンシルの芯を捕捉することを特徴とする針状体捕捉装置。
【請求項２】
前記係合素子植設シートが基台の平面に二基設けられ、前記二基の係合素子植設シートが基台の同一平面に所定間隔を設けて配置されることを特徴とする前記請求項１に記載の針状体捕捉装置。
【発明の詳細な説明】
【技術分野】
【０００１】
この発明は針状体捕捉装置に関する。
【背景技術】
【０００２】
従来から、シャープペンシルの替え芯がケースに収容された状態で販売されている。シャープペンシルに装着された芯がなくなると、そのケースから替え芯を取り出し、取り出された替え芯をシャープペンシルに装着する。ケースから一本一本と替え芯を取り出すのであるが、ときとして複数の替え芯がケースから飛び出してしまい、しかもケースから飛び出た複数の替え芯がテーブルの天板面や床面の上に散乱することがあった。
【０００３】
天板面や床面に散乱した複数の替え芯を一つ一つ拾い集めることは、きわめて面倒かつ煩雑な作業である。
【０００４】
たとえば、机上に散乱した複数の替え芯を机上の端にまで掻き寄せ、机上の端の下に位置させた受け皿、あるいは手のひらなどに、掻き寄せた複数の替え芯を落とすなどして、複数の替え芯をかき集め、ついで、受け皿や手のひらに落として掻き集めた複数の替え芯の端部を指で摘まんで、ケースに戻していた。
【０００５】
このように机上や床面に散乱したシャープペンシルの芯やその替え芯を摘まんでケースに戻す作業は非常に面倒で煩雑なものであった。
【０００６】
シャープペンシルの芯のように細長くてその直径の小さな針状体は、それを指で摘まむには細心の注意力と集中力とが必要であり、散乱した多くの針状体を集めて一か所例えば収納ケースに収納することは煩雑な作業である。
【０００７】
ところで、シャープペンシルの芯を回収する装置に関する従来技術を記載した文献を、特許庁のJ-PlatPatで検索した。検索のキーワードは、「シャープペンシルの芯」及び「回収」である。文献検索の時間的範囲は、現在から過去２０年であった。
【０００８】
その結果、シャープペンシルの芯を回収する装置に関する従来技術が見当たらなかった。
【発明の概要】
【発明が解決しようとする課題】
【０００９】
この発明の課題は、針状体に押しつけるだけと言った簡単な操作によって、平面上にある針状体を捕捉することのできる針状体捕捉装置を提供することである。
【課題を解決するための手段】
【００１０】
前記課題を解決するための手段は、
（１）シャープペンシルの芯を収容するケースと、前記ケースの平面に貼合された、針状体を捕捉可能とする係合素子を基布に植設して成る係合素子植設シートとを有し、前記係合素子が前記基布に立設する縦部分とその縦部分の先で湾曲した湾曲部分とで全体として逆J字状の形状を有し、複数の前記逆Ｊ字状の係合素子が一列に配列されてなり、配列された逆Ｊ字状の係合素子が、前記湾曲部分が針状体の周面に沿うようにしてシャープペンシルの芯を捕捉することを特徴とする針状体捕捉装置であり、
（２）前記係合素子植設シートが基台の平面に二基設けられ、前記二基の係合素子植設シートが基台の同一平面に所定間隔を設けて配置されることを特徴とする前記（１）に記載の針状体捕捉装置である。
【発明の効果】
【００１１】
この発明によると、例えば机上面や床面に散乱した針状体例えばシャープペンシルの芯に係合素子立設シートを押しつけると、係合素子立設シートにおける係合素子に針状体が係合される。係合素子立設シートに針状体が係合した状態のまま、机上面や床面に押しつけていた針状体捕捉装置を持ち上げてから、係合素子立設シートに捕捉されている針状体を指で摘まんだりすることにより、針状体を針状体捕捉装置から分離することができ、その後、指で摘まんでいる針状体を収納ケース等に簡単に収納することができる。
【００１２】
針状体捕捉装置が、基台の上に、互いに一定の間隔を設けて配置された二基の係合素子立設シートを備えていると、二基の係合素子立設シートのいずれか一方により針状体が係合されるので効率よく針状体を捕捉することができ、また、二基の係合素子立設シートによって一本の針状体が橋渡しの状態で係合されるときにはさらに確実に針状体を捕捉することができる。
【００１３】
前記基台がシャープペンシルの芯を収容する容器であり、前記針状体がシャープペンシルの芯である場合には、前記容器から散逸したシャープペンシルを、基台の表面に設けられた係合素子立設シートで直ちに、かつ便利に捕捉することができる。
【図面の簡単な説明】
【００１４】
【図１】図１は、この発明の一実施例である針状体捕捉装置を示す斜視図である。
【図２】図２は、この発明の一実施例である針状体捕捉装置における係合素子を摸式的に示す説明図である。
【図３】図３は、この発明の他の実施例である針状体捕捉装置を示す斜視図である。
【図４】図４は、この発明のさらに他の実施例である針状体捕捉装置を示す斜視図である。
【図５】図５は、この発明の別の実施例である針状体捕捉装置を示す斜視図である。
【図６】図６は、この発明の針状体捕捉装置における係合素子で針状体を捕捉する原理を示す説明図である。
【図７】図７は、この発明の一実施例である針状体捕捉装置で針状体を捕捉した状態を示す斜視図である。
【発明を実施するための形態】
【００１５】
図１に示されるように、この発明の一実施例である針状体捕捉装置１は、基台２と係合素子立設シート３とを有する。
【００１６】
係合素子立設シート３は、基布４と係合素子５とを有し、基布４の表面に複数の係合素子５が立設している。なお、図１においては係合素子立設シート３が模式的に描かれていて、係合素子５の形状、寸法、基布４上に配設された状態等は説明の便宜上誇張されている。
【００１７】
基布４は、例えば多数の係合素子５を立設させることができる布で形成することができ、たとえば合成樹脂繊維で形成することができる。この合成樹脂繊維としてポリアミド系繊維、ポリエステル系繊維、ポリオレフィン系繊維などを挙げることができる。基布４の平面形状は任意であるが、針状体捕捉装置１で針状体を捕捉した場合に、基布４の平面形状が方形または長方形であるときにはその縦方向長さ及び横方向長さが針状体の長さよりも短く設定されているのが好ましく、また基布の平面形状が円形や楕円形であるときにはその直径、短径または長径が針状体の長さよりも短く設定されているのが好ましい。要するに、係合素子立設シート３により針状体を捕捉したときに、係合素子立設シートから針状体がはみ出すように係合素子立設シート及び基布４の寸法及び平面形状が設定されるのが好ましい。
【００１８】
係合素子５は、針状体を係合することができる構造を備え、例えば図２に示されるように、基布４に立設する縦部分５ａとその縦部分５ａの先で湾曲した湾曲部分５ｂとで全体として逆Ｊ字状の形状を有する形態を有することが好ましい。この逆Ｊ字状の形態を有する係合素子５を特に逆Ｊ字状係合素子５ｃと称することができる。なお、逆Ｊ字状係合素子をフック状係合素子と形容することもできる。
【００１９】
好適な係合素子立設シート３にあっては、図１に示されるように、複数の逆Ｊ字状係合素子５ｃが一列に配列されてなる係合素子列６が複数、ほぼ等間隔に配列されている。各係合素子列６それぞれにおいては、各係合素子５がほぼ等間隔に配列されているのが好ましい。また、各係合素子列６は、隣接する係合素子列６同士の間隔がほぼ等間隔になっているのが好ましい。さらに、好適な係合素子立設シート３にあっては、係合素子列６における係合素子５ａの湾曲部分が同じ方向に向けられているのが好ましい。係合素子列６と隣接する係合素子列６とにつき、いずれの係合素子５における湾曲部分５ｂが同じ方向に向けられているのが好ましい。係合素子列６を構成する各係合素子５は、通常、その高さＨが１．３〜３．８ｍｍが好ましく、直径が０．１０〜０．２５ｍｍが好ましい。逆Ｊ字状係合素子５ｃの基台３に立設されている密度としては、通常、１５〜５０個／ｃｍ２が好ましい。
【００２０】
この係合素子立設シート３は、市販されている面ファスナーにおけるフック状係合素子を有する基布を使用することができる。
【００２１】
基台２は、柔軟性を有する係合素子立設シート３を敷設ないし設置する場所を提供するとともに、針状体を前記係合素子で係合する際に針状体に対して係合素子立設シート３自体に一定の剛性を与える。
【００２２】
基台２は前述した剛性を与えることができる材質から適宜に選択され、また基台２の形状については特に制限がない。基台２の一例としては、シャープペンシルの替え芯を収容する替え芯ケースを挙げることができる。
【００２３】
図３に示されるように、替え芯ケース７の幅広の平坦面７ａを基台２とすることができる。
【００２４】
図３に示される針状体捕捉装置１ａは、シャープペンシルの替え芯を収容する替え芯ケース７と、その幅広の平坦面７ａに所定の間隔を設けて貼合された一対の係合素子立設シート３ａ、３ｂとを有する。言うまでもないが、一対の係合素子立設シート３ａ、３ｂそれぞれは、係合素子５が平坦面７ａとは反対側に向くように、平坦面７ａに貼合されている。
【００２５】
この針状体捕捉装置１ａにあっては平坦面７ａが基台２となっている。
【００２６】
一対の係合素子立設シート３ａ、３ｂの間隔Ｈ１は、通常、２〜４ｃｍであるのが好ましい。また、図３に示されるような厚みの薄い替え芯ケース７に収容される替え芯の長さは５〜７ｃｍであるから、このような寸法を有する替え芯を収容する替え芯ケース７の長手方向長さが適宜に決定されることになり、替え芯ケース７の長手方向長さから前記間隔Ｈ１を減じた寸法の１／３〜１／２の長さを、係合素子立設シート３ａ、３ｂの長さＨ２、Ｈ３とすることができる。
【００２７】
なお、図３において、８で示すのは替え芯ケース７内にある替え芯を取り出す取り出し口であり、９で示すのは前記取り出し口８を開閉するスライド蓋である。
【００２８】
図３に示される針状体捕捉装置１ａの変形例として、図４に示される針状体捕捉装置１ｂを挙げることができる。
【００２９】
図４に示される針状体捕捉装置１ｂは、替え芯ケース７の外周面を一巡するように、かつ係合素子５が替え芯ケース７に対して外側に向くように係合素子立設シート３ｃが替え芯ケース７の表面に貼合されてなる。図４では、係合素子立設シート３ｃが一枚であるが、図３における間隔Ｈ１をもって配置され、かつ替え芯ケース７の外周面を一巡するように、かつ係合素子５が替え芯ケース７に対して外側に向くようにされた２枚の係合素子立設シート３ｃ、３ｃを備えた針状体捕捉装置であってもよい。
【００３０】
この発明に係る針状体捕捉装置における基台は、前記替え芯ケースに限らない。
【００３１】
図５に示す針状体捕捉装置１ｃが備える基台２ａは、基板１１と取っ手１０とを備える。
【００３２】
基板１１は係合素子立設シート３ｄを針状体に押圧するときに係合素子立設シート３ｄが変形しないように係合素子立設シート３ｄに剛性を付与する機能を有する限り種々の材料から形成することができ、その材料として例えば、木材、金属、プラスチック及び陶器などを挙げることができる。基板１１の形状は、係合素子立設シート３ｄを貼合することのできる平坦面を有するとともに取っ手１０を設けることができる限り、種々の形態を採用することができる。この基板１１における平坦面の形状は方形であるが、長方形、円形及び多角形であってもよい。基板１１の平坦面には、図５に示す針状体捕捉装置１ｃにおいては、一枚の係合素子立設シート３ｃが設けられているが、二枚または二枚を超える枚数の係合素子触接シート３ｃが設けられていてもよい。したがって、基板１１の平坦面の大きさは、その平坦面に設ける係合素子立設シートの形状、枚数に応じて決定される。
【００３３】
また、基台２ａは、別体に形成されている基台基板１１と取っ手１０とを一体化してなる組み立て体であっても、また最初から一体に形成された成形品であってもよい。
【００３４】
この発明に係る針状体捕捉装置により捕捉することのできる針状体としては、たとえばシャープペンシルの芯、縫い針などを挙げることができる。この針状体捕捉装置で好適に捕捉することのできる針状体としては、直径が０．２〜１．０ｍｍであり、長さが３０〜７０ｍｍの針状体を挙げることができ、好適な針状体はシャープペンシルの芯である。
【００３５】
この発明に係る針状体捕捉装置は以下のようにして針状体を捕捉することができる。
【００３６】
図６（１）に示すように、先ず、テーブルの上面や床面のように平坦な面１２にある針状体１３例えばシャープペンシルに係合素子立設シート３を、係合素子５が針状体１３に向かうように、針状体１３に近接させる。図６（２）に示すように、係合素子５を針状体１３に接触させる。さらに、係合素子立設シート３を平坦な面１２に近づけ、係合素子立設シート３を平坦な面１２に押し付けると、係合素子１３の縦部分５ａが湾曲し、あるいは屈曲し、湾曲部分５ｂが針状体１３の周面に沿うことになる。次いで、図６（３）に示すように、針状体捕捉装置を平坦な面１２から離すようにすると、係合素子１３の湾曲部分５ｂにより針状体１３が係合状態となって、係合素子立設シート３に針状体１３が捕捉されることになる。
【００３７】
図３に示すように、シャープペンシルの替え芯ケース７の平坦面７ａを基台とし、この平坦面７ａに一定の間隔を設けて配設された一対の係合素子立設シート３ａ、３ｂを有している針状体捕捉装置１ａが例えば机上面にあるシャープペンシルの芯１３を捕捉すると、例えば図７に示すように、一対の係合素子立設シート３ａ、３ｂにシャープペンシルの芯１３が掛け渡された状態になって芯１３が捕捉される。掛け渡された状態になっているシャープペンシル１３は、一対の係合素子立設シート３ａ、３ｂの間で、平坦面７ａよりも浮き上がった状態であるから、このシャープペンシルの芯１３を指で容易に摘み取ることができる。
【産業上の利用可能性】
【００３８】
この発明は、平面にある針状体を、爪を利かせてつまみ上げることなく、針状体を捕捉することのできる針状体捕捉装置として利用されることができる。
【符号の説明】
【００３９】
１、１ｂ、１ｃ        針状体捕捉装置
２、２ａ        基台
３、３ａ、３ｂ、３ｃ        係合素子立設シート
４        基布
５        係合素子
５ａ      縦部分
５ｂ      湾曲部分
５ｃ      逆Ｊ字状係合素子
６        係合素子列
７        替え芯ケース
７ａ      平坦面
８        取り出し口
９        スライド蓋
１０        取っ手
１１        基板
１２        平坦な面
１３        シャープペンシルの芯
【要約】
【課題】この発明の課題は、針状体に押しつけるだけの簡単な。操作によって、平面上にある針状体を捕捉することのできる針状体捕捉装置を提供すること。
【手段】前記課題を解決する手段は、基台と、基台の平面に設けられた、針状体を捕捉可能とする係合素子を基布に立設して成る係合素子立設シートとを有することを特徴とする針状体捕捉装置である。
【選択図】図３【図１】
0006925494.tif 000002
【図２】
0006925494.tif 000003
【図３】
0006925494.tif 000004
【図４】
0006925494.tif 000005
【図５】
0006925494.tif 000006
【図６】
0006925494.tif 000007
【図７】
0006925494.tif 000008